(57)【要約】【課題】載置した新聞紙の紙面が読み易い新聞台を提供する。【解決手段】新聞紙ＮＰの左右上端部をそれぞれ、保持手段３０の各鰐口クリップ３１ａ，３１ｂに挟み込むことにより、新聞立て２０に対して保持固定する。保持手段３０の各押圧部材３２ａ，３２ｂを上方に回動させ、新聞紙ＮＰの左右下端部近傍をそれぞれ、各押圧部材３２ａ，３２ｂの先端部によって新聞立て２０の側に押圧させることにより、新聞立て２０に対して保持固定する。仰角調節手段４０を用い、新聞立て２０の仰角を所望の角度に設定し、その角度に保持されるように取付部材４２を固定ネジ４５で固定する。高さ調節手段５０を用い、支持柱５１から支持柱４６をスライドさせて新聞立て２０の高さを所望の位置に設定し、その高さに保持されるように各支持柱４６，５１を固定ネジ５２で固定する。【選択図】  図１
2010259567.tif 000002
【特許請求の範囲】
【請求項１】
新聞紙を開いた状態で立てかけて載置する新聞立てと、
前記新聞立ての仰角を調節するための仰角調節手段と、
前記新聞立ての高さを調節するための高さ調節手段と、
前記新聞立てに載置された新聞紙を保持固定するための保持手段と
を備えたことを特徴とする新聞台。
【請求項２】
請求項１に記載の新聞台において、
前記保持手段は、前記新聞立てに載置された新聞紙の左右上端部を保持固定する上部保持部材を備えたことを特徴とする新聞台。
【請求項３】
請求項１または請求項２に記載の新聞台において、
前記保持手段は、前記新聞立てに載置された新聞紙の左右下端部を保持固定する下部保持部材を備えたことを特徴とする新聞台。
【請求項４】
請求項１〜３のいずれか１項に記載の新聞台において、
前記高さ調節手段に取り付けられた三脚を備え、
前記新聞立ておよび前記三脚は折り畳まれると略棒状になることを特徴とする新聞台。
【発明の詳細な説明】
【技術分野】
【０００１】
本発明は新聞台に係り、詳しくは、新聞紙を載置して読むための新聞台に関するものである。
【背景技術】
【０００２】
特許文献１には、新聞紙面の約半分の大きさの板面上に新聞紙を載せ、板面上に設けた横方向に可動する柱に新聞紙の中央部分を固定し、支えを用いて板面を斜に保つようにした新聞台が開示されている。
【０００３】
特許文献２には、楽譜の背面を支持するための板状の背面部と、楽譜の下部を支持するために背面部の下端から前方向に延びる板状の底部と、楽譜の前面下部を保持するために底部の前端から上方向に延びる板状のストッパー部とを備えた譜面台が開示されている。
【先行技術文献】
【特許文献】
【０００４】
【特許文献１】特開２００７−２０９６４７号公報（第３頁、図２）
【特許文献２】特開２００８−８６３７９号公報（第２頁、図２）
【発明の概要】
【発明が解決しようとする課題】
【０００５】
特許文献１の新聞台では、新聞紙を載せる前記板面の高さを変えることができないことに加え、前記板面を斜めに保つ前記支えの構造が詳細に開示されておらず、前記板面の角度を任意に設定可能であるとは思われない。
そのため、読者の体格（身長、座高）や好みに合わせて新聞紙の高さ及び仰角を最適化することが不可能であり、紙面全体を見渡し難く、紙面が読みづらいという問題がある。
【０００６】
特許文献２の譜面台を大型化し、譜面の代わりに新聞紙を載せることにより、新聞台として用いることが考えられる。
この場合、新聞紙の下端部は前記ストッパー部に保持されるものの、新聞紙は譜面に比べて面積が大きい上に紙が薄いことから紙が撓み易いため、新聞紙の左右上端部が手前に撓み込んで紙面を覆い隠し、紙面が読みづらいという問題がある。
【０００７】
本発明は前記問題を解決するためになされたものであって、その目的は、載置した新聞紙の紙面が読み易い新聞台を提供することにある。
【課題を解決するための手段】
【０００８】
請求項１に記載の発明は、
新聞紙を開いた状態で立てかけて載置する新聞立てと、
前記新聞立ての仰角を調節するための仰角調節手段と、
前記新聞立ての高さを調節するための高さ調節手段と、
前記新聞立てに載置された新聞紙を保持固定するための保持手段と
を備えた新聞台を技術的特徴とする。
【０００９】
請求項２に記載の発明は、
請求項１に記載の新聞台において、
前記保持手段は、前記新聞立てに載置された新聞紙の左右上端部を保持固定する上部保持部材を備えたことを技術的特徴とする。
【００１０】
請求項３に記載の発明は、
請求項１または請求項２に記載の新聞台において、
前記保持手段は、前記新聞立てに載置された新聞紙の左右下端部を保持固定する下部保持部材を備えたことを技術的特徴とする。
【００１１】
請求項４に記載の発明は、
請求項１〜３のいずれか１項に記載の新聞台において、
前記高さ調節手段に取り付けられた三脚を備え、
前記新聞立ておよび前記三脚は折り畳まれると略棒状になることを技術的特徴とする。
【発明の効果】
【００１２】
請求項１の新聞台によれば、仰角調節手段および高さ調節手段を備えているため、読者の体格（身長、座高）や好みに合わせて新聞紙の高さ及び仰角を最適化することが可能であり、紙面全体を見渡し易くして紙面を読み易くすることができる。
また、請求項１の新聞台によれば、保持手段を備えているため、新聞紙を新聞立てに対して保持固定することにより、新聞紙の左右上端部が手前に撓み込んで紙面を覆い隠すのを防止すると共に、新聞紙の左右下端部が新聞立てから脱落するのを防止することが可能であり、紙面を読み易くすることができる。
【００１３】
請求項２の新聞台によれば、上部保持部材を備えているため、請求項１の前記作用・効果を確実に得られる。
【００１４】
請求項３の新聞台によれば、下部保持部材を備えているため、請求項１の前記作用・効果を確実に得られる。
【００１５】
請求項４の新聞台によれば、新聞立ておよび三脚が折り畳まれると略棒状になるため、新聞台を収納するための袋や箱に収納して運搬し易いことに加え、保管場所の省スペース化を図ることもできる。
【図面の簡単な説明】
【００１６】
【図１】本発明を具体化した一実施形態の新聞台１０の正面図。
【図２】新聞台１０の要部左側面図。
【図３】新聞台１０に新聞紙ＮＰを載置した状態を示す正面図。
【図４】新聞台１０に新聞紙ＮＰを載置した状態を示す要部左側面図。
【発明を実施するための形態】
【００１７】
［実施形態の構成］
図１および図２に示すように、本発明を具体化した一実施形態の新聞台１０は、新聞立て２０、保持手段３０、仰角調節手段４０、高さ調節手段５０、三脚６０から構成されている。
【００１８】
＜新聞立て２０の構成＞
新聞立て２０は、載置枠２１ａ，２１ｂ、横枠２３ａ，２３ｂ，２４ａ，２４ｂ、縦枠２５ａ，２５ｂ、斜め枠２６ａ，２６ｂ、中央枠２７、鋲２８から構成されている。
【００１９】
中央枠２７は断面Ｌ字状の長尺金属板によって形成されている。
同一寸法形状の各載置枠２１ａ，２１ｂは断面Ｌ字状の長尺金属板によって形成され、各載置枠２１ａ，２１ｂの基端部はそれぞれ、中央枠２７の下端部に対して回動可能に鋲２８を用いて取り付けられている。
【００２０】
同一寸法形状の各横枠２３ａ，２３ｂは長尺金属板によって形成され、各横枠２３ａ，２３ｂの基端部はそれぞれ、中央枠２７の略中央部に対して回動可能に鋲２８を用いて取り付けられている。
同一寸法形状の各横枠２４ａ，２４ｂは長尺金属板によって形成され、各横枠２４ａ，２４ｂの基端部はそれぞれ、中央枠２７の略上端部に対して回動可能に鋲２８を用いて取り付けられている。
【００２１】
同一寸法形状の各縦枠２５ａ，２５ｂは長尺金属板によって形成され、各縦枠２５ａ，２５ｂの上端部はそれぞれ各横枠２４ａ，２４ｂの両端部に対して回動可能に鋲２８を用いて取り付けられ、各縦枠２５ａ，２５ｂの略中央部はそれぞれ各横枠２３ａ，２３ｂの略両端部に対して回動可能に鋲２８を用いて取り付けられ、各縦枠２５ａ，２５ｂの下端部はそれぞれ各載置枠２１ａ，２１ｂの略両端部に対して回動可能に鋲２８を用いて取り付けられている。
【００２２】
同一寸法形状の各斜め枠２６ａ，２６ｂは長尺金属板によって形成され、各斜め枠２６ａ，２６ｂの下端部はそれぞれ、各横枠２３ａ，２３ｂの基端部および中央枠２７に対して回動可能に鋲２８を用いて取り付けられている。
各斜め枠２６ａ，２６ｂにはそれぞれ、その長尺方向にスリットＳＬａ，ＳＬｂが形成されている。
各スリットＳＬａ，ＳＬｂはそれぞれ、各横枠２４ａ，２４ｂの略中央部に取付固定された鋲２８に対して摺動可能に且つ脱落不能に取り付けられている。
【００２３】
新聞立て２０を構成する各枠２１ａ〜２７のうち、各斜め枠２６ａ，２６ｂを除く各枠は、全体として田の字状を成すように鋲２８を用いて組み立てられている。
そして、新聞立て２０を構成する各部材はリンク機構を構成し、各載置枠２１ａ，２１ｂの両端部を引き下げることにより、各枠２１ａ〜２６ｂが田の字を成すように開き、各載置枠２１ａ，２１ｂを略水平に配置させることができる。
また、各載置枠２１ａ，２１ｂの両端部を引き上げることにより、各枠２１ａ〜２６ｂが中央枠２７と略一体物の略棒状となるように折り畳むことができる。
【００２４】
＜保持手段３０の構成＞
保持手段３０は、鰐口クリップ３１ａ，３１ｂ、押圧部材３２ａ，３２ｂから構成されている。
各鰐口クリップ３１ａ，３１ｂはそれぞれ、各斜め枠２６ａ，２６ｂの上端部に取付固定されている。
各押圧部材３２ａ，３２ｂは略Ｌ字状の金属棒材によって形成され、各押圧部材３２ａ，３２ｂの下端部はそれぞれ、各載置枠２１ａ，２１ｂの前方に突出した部分に対して回動可能に取り付けられている。
【００２５】
＜仰角調節手段４０の構成＞
仰角調節手段４０は、取付部材４１ａ，４１ｂ，４２、傾動軸４３、鋲４４、固定ネジ４５、支持柱４６から構成されている。
各取付部材４１ａ，４１ｂは矩形金属板によって形成され、新聞立て２０の中央枠２７の下方に所定間隔をあけて平行に取付固定されている。
【００２６】
各取付部材４１ａ，４１ｂの間には、金属円筒から成る支持柱４６の先端部が挟設配置されている。
各取付部材４１ａ，４１ｂと支持柱４６の先端部とには傾動軸４３が挿通され、各取付部材４１ａ，４１ｂは支持柱４６に対して傾動可能に傾動軸４３を用いて取り付けられている。
【００２７】
取付部材４２は長尺金属板によって形成され、その上端部は取付部材４１ａの後端部に対して回動可能に鋲４４を用いて取り付けられ、その長尺方向にはスリットＳＬｃが形成されている。
スリットＳＬｃは、支持柱４６に取付固定された固定ネジ４５に対して摺動可能に且つ脱落不能に取り付けられている。
【００２８】
そして、仰角調節手段４０を構成する各部材はリンク機構を構成し、固定ネジ４５を取付部材４２のスリットＳＬｃの所望の位置に固定させることにより、各取付部材４１ａ，４１ｂの傾き角を所望の角度に保持させることが可能であり、各取付部材４１ａ，４１ｂが取付固定された新聞立て２０の仰角を所望の角度に設定することができる。
【００２９】
＜高さ調節手段５０の構成＞
高さ調節手段５０は、支持柱４６，５１、固定ネジ５２から構成されている。
金属円筒から成る支持柱５１の内径は、支持柱４６の外径よりも若干大きく形成されている。
支持柱４６の下方は支持柱５１に入れ子式に挿通されて伸縮自在になっており、各支持柱４６，５１は固定ネジ５２を用いて固定されている。
【００３０】
＜三脚６０の構成＞
三脚６０は、支持柱５１、固定座６１、伝達杆６２、移動座６３、脚部材６４、固定ネジ６５、鋲６６、滑り止め６７から構成されている。
固定座６１は支持柱５１の下端部に取付固定され、固定座６１に対して３本の伝達杆６２の下端部がそれぞれ回動可能に鋲６６を用いて取り付けられている。
【００３１】
移動座６３は支持柱５１に対して移動自在に挿通され、移動座６３と支持柱５１は固定ネジ６５を用いて固定され、移動座６３に対して３本の脚部材６４の上端部がそれぞれ回動可能に鋲６６を用いて取り付けられている。
各伝達杆６２の上端部はそれぞれ、各脚部材６４の略中央部に対して回動可能に鋲６６を用いて取り付けられている。
合成樹脂製の滑り止め６７は、各脚部材６４の下端部に嵌め込まれている。
【００３２】
そして、三脚６０を構成する各部材はリンク機構を構成し、移動座６３を引き下げることにより、各脚部材６４が所望の角度になるように開脚することができる。
また、移動座６３を引き上げることにより、三脚６０を構成する各部材が略一体物の略棒状となるように折り畳むことができる。
【００３３】
［新聞台の使用方法］
図３および図４に示すように、新聞台１０を使用する際には、以下の手順をとる。尚、手順１〜４は順番を適宜入れ替えてもよい。
【００３４】
＜手順１＞
新聞台１０が安定した状態になるように、三脚６０の各脚部材６４を開脚させて固定ネジ６５で固定する。
次に、新聞立て２０の各枠２１ａ〜２６ｂを開き、各載置枠２１ａ，２１ｂを略水平に配置させた状態にする。
そして、各載置枠２１ａ，２１ｂの前方に突出したフランジ部分の上に新聞紙ＮＰの下端部を載せ、新聞紙ＮＰを開いた状態で各枠２１ａ〜２７に凭せ掛けるようにして新聞立て２０に新聞紙ＮＰを載置する。
【００３５】
＜手順２＞
新聞紙ＮＰの左右上端部をそれぞれ、保持手段３０の各鰐口クリップ３１ａ，３１ｂに挟み込むことにより、新聞立て２０に対して保持固定（係止）する。
また、保持手段３０の各押圧部材３２ａ，３２ｂを上方に回動させ、新聞紙ＮＰの左右下端部近傍をそれぞれ、各押圧部材３２ａ，３２ｂの先端部によって新聞立て２０の側に押圧させることにより、新聞立て２０に対して保持固定する。
【００３６】
＜手順３＞
仰角調節手段４０を用い、新聞立て２０の仰角を所望の角度に設定し、その角度に保持されるように取付部材４２を固定ネジ４５で固定する。
【００３７】
＜手順４＞
高さ調節手段５０を用い、支持柱５１から支持柱４６をスライドさせて新聞立て２０の高さを所望の位置に設定し、その高さに保持されるように各支持柱４６，５１を固定ネジ５２で固定する。
【００３８】
［実施形態の作用・効果］
本実施形態の新聞台１０によれば、仰角調節手段４０および高さ調節手段５０を備えているため、読者の体格（身長、座高）や好みに合わせて新聞紙ＮＰの高さ及び仰角を最適化することが可能であり、紙面全体を見渡し易くして紙面を読み易くすることができる。
【００３９】
また、本実施形態の新聞台１０によれば、保持手段３０を備えているため、新聞紙ＮＰの左右上端部および左右下端部近傍を新聞立て２０に対して保持固定することにより、新聞紙ＮＰの左右上端部が手前に撓み込んで紙面を覆い隠すのを防止すると共に、新聞紙ＮＰの左右下端部が新聞立て２０から脱落するのを防止することが可能であり、紙面を読み易くすることができる。
【００４０】
そして、本実施形態の新聞台１０によれば、新聞立て２０および三脚６０が折り畳まれると略棒状になるため、新聞台１０を収納するための袋や箱（図示略）に収納して運搬し易いことに加え、保管場所の省スペース化を図ることもできる。
尚、各取付部材４１ａ，４１ｂに対して中央枠２７を回動可能に軸支し、新聞立て２０を支持柱４６に対して折れ曲げ可能なように構成してもよく、その場合には、新聞立て２０および三脚６０を折り畳んだ際の全長が短くなるため、保管場所の更なる省スペース化を図ることができる。
【００４１】
［別の実施形態］
本発明は上記実施形態に限定されるものではなく、以下のように具体化してもよく、その場合でも、上記実施形態と同等もしくはそれ以上の作用・効果を得ることができる。
【００４２】
［１］保持手段３０の各鰐口クリップ３１ａ，３１ｂ（上部保持部材）は、新聞紙ＮＰの左右上端部を保持固定することが可能であれば、どのような構造の部材に置き代えてもよく、例えば、各押圧部材３２ａ，３２ｂと同様の部材にしてもよい。
また、保持手段３０の各押圧部材３２ａ，３２ｂ（下部保持部材）は、新聞紙ＮＰの左右下端部近傍を保持固定することが可能であれば、どのような構造の部材に置き代えてもよく、例えば、各鰐口クリップ３１ａ，３１ｂと同様の部材にしてもよい。
【００４３】
［２］仰角調節手段４０は、新聞立て２０の仰角を調節することが可能であれば、どのような構造にしてもよい。
【００４４】
［３］高さ調節手段５０は、新聞立て２０の高さを調節することが可能であれば、どのような構造にしてもよい。
【００４５】
［４］新聞立て２０は、各枠２１ａ〜２７から成る折り畳み可能な構造に限らず、新聞紙ＮＰを開いた状態で立て掛けて載置することが可能であれば、どのような構造にしてもよく、例えば、下端にフランジが突出した板材にしてもよい。
【符号の説明】
【００４６】
１０…新聞台
２０…新聞立て
３０…保持手段
３１ａ，３１ｂ…鰐口クリップ（上部保持部材）
３２ａ，３２ｂ…押圧部材（下部保持部材）
４０…仰角調節手段
４１ａ，４１ｂ，４２…取付部材
４３…傾動軸
４５…固定ネジ
４６…支持柱
５０…高さ調節手段
４６，５１…支持柱
５２…固定ネジ
６０…三脚
【図１】
2010259567.tif 000003
【図２】
2010259567.tif 000004
【図３】
2010259567.tif 000005
【図４】
2010259567.tif 000006